(57)【特許請求の範囲】
【請求項１】
硬貨投入口から投入された硬貨を案内する硬貨案内通路と、該硬貨案内通路に配設され、該硬貨案内通路に案内された硬貨が前記硬貨投入口から吊り糸を介し引き抜かれることを防止する硬貨引き抜き防止手段とを具えた硬貨選別装置において、
前記硬貨引き抜き防止手段は、
前記硬貨案内通路の壁面に形成された凹部と、
前記硬貨案内通路に回動自在に支承されたレバーとから構成され、
前記硬貨案内通路に案内された前記硬貨を前記吊り糸を介して前記硬貨投入口から引き抜くと、前記硬貨の周面が前記凹部と前記レバーとに当接し、これにより前記硬貨の姿勢が固定されて、前記硬貨が前記硬貨投入口から引き抜かれることを防止するようにしたことを特徴とする硬貨選別装置。
【請求項２】
前記硬貨引き抜き防止手段の前記レバーは、先端が２つに分岐されたレバーから構成され、前記硬貨の周面は前記２つに分岐する先端間に当接することを特徴とする請求項（１）記載の硬貨選別装置。
【請求項３】
前記引き抜き防止手段の前記レバーは、先端が２つに分岐されたレバーの該２つに分岐する先端に、肉付け部を配設して構成され、前記硬貨の周面は、前記肉付け部に当接することを特徴とする請求項（１）記載の硬貨選別装置。
【請求項４】
前記硬貨引き抜き防止手段は、振り分けレバーを具えて構成され、前記硬貨案内通路に案内された前記硬貨を前記吊り糸を介して前記硬貨投入口から引き抜くと、前記硬貨はさらに前記振り分けレバーによっても押さえられ、これにより該硬貨が前記硬貨投入口から引き抜かれることを防止するようにしたことを特徴とする請求項（１）記載の硬貨選別装置。
【発明の詳細な説明】
【０００１】
【発明の属する技術分野】
この発明は自動販売機、両替機、サービス機器等に使用され、投入硬貨を金種別に選別収容するとともに、選別収容された硬貨を釣銭として払い出す硬貨処理装置に関し、特に、投入硬貨を金種別に選別する硬貨選別装置に関する。
【０００２】
【従来の技術】
自動販売機、両替機、サービス機器等には、従来から投入硬貨を金種別に選別収容するとともに、この選別収容された硬貨を釣銭として払い出す硬貨処理装置が配設されており、この硬貨処理装置には、一般に、投入硬貨の正偽と正貨の金種を選別する硬貨選別装置が配設されている。
【０００３】
この従来の硬貨選別装置には、硬貨投入口から投入された硬貨を案内する硬貨案内通路が配設されており、該硬貨案内通路には、硬貨の正偽および正貨の金種を識別する硬貨識別手段が配設されている。
また、この硬貨識別手段の下流に位置する硬貨案内通路には、硬貨識別手段による識別結果に基づき、硬貨を正貨案内通路または偽貨案内通路に振分ける正偽振分けレバーが配設されている。
この正偽振分けレバーは、正貨案内通路、偽貨案内通路のいずれか一方を拡開し、同時に他方を閉塞するレバーで、通常、偽貨案内通路を拡開している。
また、正貨案内通路には、正貨を、金種別の各硬貨通路へ振分ける数種類の振分けレバーが配設されており、該金種別の硬貨通路に案内された硬貨は、通常、各コインチューブ内にそれぞれ収容される。
また、正貨案内通路の上流には、正貨が通過したことを検出するセンサが配設されている。
【０００４】
このような構成の硬貨選別装置では、硬貨投入口から投入された硬貨が、硬貨案内通路内に案内されて硬貨識別手段により正貨であると判断されると、該判断に基づき正偽振分けレバーが動作して正貨案内通路が拡開し、該正貨は正貨案内通路へ案内される。また、該正貨が正貨案内通路の前記センサを通過したことが該センサにより検出されると、その検出に基づき、正偽振り分けレバーが動作して正貨案内通路が閉塞するとともに、金銭取引きが適正に行われたと判断して自動販売機から商品を排出する。
【０００５】
なお、投入硬貨が硬貨識別手段により偽貨と判断されると、正偽振分けレバーは動作せず、そのため偽貨は偽貨案内通路へ案内されて、硬貨払出し口から返却される。
【０００６】
一方、このような動作を行う従来の硬貨選別装置では、吊り糸を結び付けた正貨を硬貨投入口から投入し、該正貨が正貨案内通路に案内されて前記センサによりその通過が検出され、これにより商品が排出された後、該正貨を吊り糸を介して硬貨投入口から引き抜き、商品を盗み取るといういたずらがされるおそれがある。
【０００７】
そのため、従来の硬貨選別装置では、通常、正偽振分けレバーの上流であって、硬貨識別手段の下流に位置する硬貨案内通路の側壁に、１本の板片からなるレバーを回動自在に支承させるようにしており、正貨案内通路に案内された正貨を吊り糸を介し硬貨投入口から引き抜こうとすると、該レバーが正貨の一部に当接して、該正貨が硬貨案内通路内を逆流するのを防止するので、これにより、正貨を引き抜いて商品を盗み取るいたずらを可及的に阻止することができる。
【０００８】
【発明が解決しようとする課題】
ところで、従来の硬貨選別装置によると、硬貨の引き抜き防止手段を、上述のように１本の板片からなるレバーから構成し、該レバーを正貨の一部に当接させて正貨の引き抜きを防止するようにしていたから、レバーに当接した正貨の姿勢がふらつきやすく、そのためこの硬貨がレバーとの当接から逃げて、硬貨案内通路内を逆流し、引き抜かれる場合があった。
【０００９】
上述した事情に鑑み、この発明は、硬貨の引き抜きを可及的に防止するようにした硬貨選別装置を提供することを目的とする。
【００１０】
【課題を解決するための手段】
上述した課題を解決するため、この発明では、硬貨投入口から投入された硬貨を案内する硬貨案内通路と、該硬貨案内通路に配設され、該硬貨案内通路に案内された硬貨が前記硬貨投入口から吊り糸を介し引き抜かれることを防止する硬貨引き抜き防止手段とを具えた硬貨選別装置において、前記硬貨引き抜き防止手段は、前記硬貨案内通路の壁面に形成された凹部と、前記硬貨案内通路に回動自在に支承されたレバーとから構成され、前記硬貨案内通路に案内された前記硬貨を前記吊り糸を介して前記硬貨投入口から引き抜くと、前記硬貨の周面が前記凹部と前記レバーとに当接し、これにより前記硬貨の姿勢が固定されて、前記硬貨が前記硬貨投入口から引き抜かれることを防止するようにしている。
【００１１】
【発明の実施の形態】
以下、この発明に係る硬貨選別装置について、第１の実施例の硬貨選別装置、第２の実施例の硬貨選別装置で詳述する。
第１の実施例の硬貨選別装置１は、その要部概念正面図で示す図１のように、メインプレート２と、該メインプレート２に軸１０を介し回動自在なゲートプレート３とから構成され、該メインプレート２とゲートプレート３との間には、硬貨案内通路４（図２）が形成されている。
この硬貨案内通路４は、ゲートプレート３に配設されたゲートレール６と、該ゲートレール６に沿って延設されたガイドリブ３ａとから構成されており、ガイドリブ３ａは、ゲートプレート３に形成されている。
また、硬貨案内通路４には、硬貨案内通路４に案内された硬貨の正偽および正貨の金種を識別する硬貨識別手段８が配設されている。
また、この硬貨識別手段８の下流に位置する硬貨案内通路４の終端には、硬貨案内通路４に案内された硬貨が硬貨投入口５から吊り糸２９（図７）を介し引き抜かれることを防止する硬貨引き抜き防止手段１１が配設されている。
この硬貨引き抜き防止手段１１は、硬貨案内通路４の一方の壁面であるメインプレート２に形成された略円弧状の凹部２ａと、図１の硬貨選別装置１の要部拡大概念断面図である図２で示すように、硬貨案内通路４の他方の側壁であるゲートプレート３に軸１２を介し回動自在に支承されたレバー１３と、該レバー１３の下流に配設された正偽振分けレバー１９から構成されている。
【００１２】
このうち、レバー１３は、図２の要部拡大概念図である図３、および図３の右側面図である図４で示すように、傾きの異なる２本のレバー部１４、１５を、第１の連結部１３ｄ、および第２の連結部１３ｅとによって連結することにより構成されており、先端１３ａには、２つに分岐する端部１３ｂと端部１３ｃとが形成されている。
また、このレバー１３を支承しているゲートプレート３と、メインプレート２とは、図２で示すように、硬貨選別装置１の接地面に対し所定角度Ｃ傾斜した面と垂直となるように配設されているので、レバー１３は初期状態において、その重力により、端部１３ｂが硬貨案内通路４内へ突出し、該端部１３ｂに形成されている面１３ｆが硬貨案内通路４の一方の側壁であるメインプレート２の溝２ｂ（図１には図示せず）に当接している。なお、図２および図１で示す符号３ｂは、ゲートプレート３に形成され、レバー１３の先端１３ａを硬貨案内通路４に突出させる孔である。
【００１３】
一方、正偽振分けレバー１９は、この硬貨引き抜き防止手段１１の下流に位置する硬貨案内通路４の終端に配設されている。
この正偽振分けレバー１９は、メインプレート２に回動自在に支承され、硬貨識別手段８による硬貨の正偽の識別に基づき、硬貨を、正貨案内通路２０と偽貨案内通路２１とに振分けるレバーであって、正貨案内通路２０、偽貨案内通路２１のいずれか一方の案内通路を拡開したとき、他方の案内通路を閉塞する。また、この正偽振分けレバー１９は、通常、図２で示すように、偽貨案内通路２１を拡開し、正貨案内通路２０を閉塞している。
【００１４】
また、正貨案内通路２０の上流には、硬貨が通過したことを検出する磁気センサ２３が配設されている。
【００１５】
次に、この第１の実施例の硬貨選別装置１の作用を説明し、併せて、構成をより詳細に説明する。
図１の硬貨選別装置１の硬貨投入口５から正貨Ｘを投入すると、該正貨Ｘは、硬貨案内通路４内に案内され、硬貨識別手段８を通過する。
【００１６】
また、この硬貨識別手段８を通過した正貨Ｘが、該硬貨識別手段８によって正貨であると判断されると、正偽振分けレバー１９が動作して、図５で示すように、正貨案内通路２０が拡開するとともに、偽貨案内通路２１が閉塞する。
【００１７】
一方、硬貨識別手段８の下流に位置する硬貨引き戻し手段のレバー１３（図１）は、図２で示す初期状態において、重力によって、その先端１３ａの端部１３ｂを硬貨案内通路４の一方の側壁であるメインプレート２の溝２ｂへ当接させているが、硬貨識別手段８を通過した硬貨Ｘがこのレバー１３に達すると、図５で示すように、該正貨Ｘがレバー１３のレバー部１４を押圧し、レバー１３を軸１２を中心に時計方向に回転させて端部１３ｂを硬貨案内通路４から退避させるので、正貨Ｘはレバー１３を通過して、図６で示すように正貨案内通路２０の上流へ案内される。
なお、レバー１３は正貨Ｘが通過後、レバー１３自体の重力により、軸１２を中心に反時計方向に回転して、図６で示すように直ちに初期位置に復帰する。
【００１８】
また、正貨Ｘが正貨案内通路２０の磁気センサ２３（図６）を通過したことが該磁気センサ２３により検出されると、正偽振分けレバー１９が正貨案内通路２０を閉塞するとともに、金銭取引きが適正に行われたと判断して、自動販売機から商品を排出する。
なお、正貨Ｘが案内された正貨案内通路２０には、硬貨識別手段８による金種の識別に基づき、正貨Ｘを金種別の各硬貨通路へ振分ける数種類の振分けレバーが配設されており、該振り分けレバーにより振り分けられた正貨Ｘは、該金種別の硬貨通路に案内された後、通常対応するコインチューブ内に収容される。
【００１９】
一方、吊り糸２９が結び付けられた正貨Ｘが硬貨投入口５から投入された場合にも、上述のように、正貨Ｘは、硬貨案内通路４を通過し、正貨案内通路２０に案内されて、磁気センサ２３により検出され、これにより商品が排出されるが、その後、図７および図８で示すように、この正貨Ｘを硬貨投入口５から吊り糸２９を介して引き抜こうとすると、レバー１３は既に初期位置に復帰しているので、正貨Ｘの周面は、レバー１３の先端１３ａの２つに分岐する端部１３ｂ、１３ｃ間の第１の連結部１３ｄに当接する。
したがって、正貨Ｘを引き抜こうとしても、正貨Ｘが硬貨案内通路４内を逆流することは、この第１の連結部１３ｄにより可及的に阻止されるから、正貨Ｘの引き抜きが防止され、これにより、取引きせずに商品を盗み取るいたずらを防止することができる。
【００２０】
また、このようにレバー１３と当接した正貨Ｘの姿勢は、従来のように１本の板片からなるレバーでは、ふらつくことがあったが、先端１３ａに２つに分岐する端部１３ｂ、１３ｃが形成された本願発明のレバー１３では、図７で示すように、正貨Ｘはこの端部１３ｂ、１３ｃ間の第２の連結部１３ｄに当接するので、正貨Ｘの姿勢のふらつきは、レバー１３の端部１３ｂ、１３ｃとによって規制され、そのため該正貨Ｘがレバー１３との当接から逃げることは阻止される。
したがって、この硬貨選別装置１では、従来の硬貨選別装置に比べ、正貨Ｘが硬貨案内通路４内を逆流することは阻止されて、正貨Ｘの引き抜きが一層防止され、これにより商品の盗み取りがさらに可及的に防止されることとなる。
【００２１】
また、このようにレバー１３に係合する正貨Ｘは、吊り糸２９による引き抜き動作によって、図８で示すように、メインプレート２の凹部２ａ側に案内され、レバー１３に当接するとともに、凹部２ａに当接する。
そのため、正貨Ｘを引き抜こうとしても、正貨Ｘが硬貨案内通路４内を逆流することは、レバー１３と凹部２ａとによって可及的に阻止されることとなり、これにより正貨Ｘの引き抜きが防止されることとなる。
【００２２】
すなわち、正貨Ｘと引き抜き防止手段１１との当接箇所が、従来に比べ、２か所に増えて、正貨Ｘの姿勢が従来より確実に固定されるから、該正貨Ｘが姿勢のふらつきによりレバー１３との当接から逃げて硬貨案内通路４内を逆流する虞を更に阻止でき、硬貨投入口５から正貨Ｘが引き抜かれること、および正貨Ｘの引き抜きによる商品が盗み取りを可及的に防止することができる。
【００２３】
さらに、この第１の実施例の硬貨選別装置１では、正貨Ｘが正貨案内通路２０の磁気センサ２３を通過したことが該磁気センサ２３によって検出されると、正偽振分けレバー１９が正貨案内通路２０を閉塞することとしているから、レバー１３および凹部２ａに当接する正貨Ｘは、この正偽振り分けレバー１９によっても押さえ付けられる。
したがって、正貨Ｘと引き抜き防止手段１１との当接箇所がさらに増え、正貨Ｘの姿勢が一層確実に固定されるから、該正貨Ｘが姿勢のふらつきによりレバー１３との当接から逃げて硬貨案内通路４内を逆流する虞を更に阻止でき、これにより、硬貨投入口５から正貨Ｘが引き抜かれること、および該正貨の引き抜きＸによる商品の盗み取りをさらに可及的に防止することができる。
【００２４】
なお、この第１の実施例の硬貨選別装置１では、偽貨Ｙが硬貨投入口５から投入され、硬貨識別手段８（図１）により偽貨と判断されると、図９で示すように、正偽振分けレバー１９（図２）は動作せず、そのため偽貨は偽貨案内通路２１へ案内されて、図示せぬ硬貨払出し口から返却される。
【００２５】
このように、この発明では、硬貨投入口５から投入された硬貨を案内する硬貨案内通路４と、該硬貨案内通路４に配設され、該硬貨案内通路４に案内された硬貨が硬貨投入口５から吊り糸を介し引き抜かれることを防止する硬貨引き抜き防止手段１１とを具えた硬貨選別装置１において、硬貨引き抜き防止手段１１を、硬貨案内通路４の壁面に形成された凹部２ａと、硬貨案内通路４に回動自在に支承されたレバー１３とから構成することとしたから、硬貨案内通路４に案内された正貨Ｘを吊り糸２９を介して硬貨投入口５から引き抜くと、正貨Ｘの周面が凹部２ａとレバー１３に当接して、正貨Ｘの姿勢が固定されるので、該正貨Ｘが姿勢のふらつきによりレバー４３との当接から逃げて硬貨案内通路４内を逆流する虞を阻止でき、これにより該正貨Ｘが硬貨投入口５から引き抜かれることは可及的に阻止される。
すなわち、この発明の硬貨選別装置によると、正貨Ｘと引き抜き防止手段１１との当接箇所が増えて、正貨Ｘの姿勢が従来より確実に固定されることとなり、これにより硬貨投入口５から正貨が引き抜かれることを可及的に防止することができる。
【００２６】
また、この発明の硬貨選別装置では、引き抜き防止手段１１が、さらに正偽振り分けレバー１９を具えて構成されているから、硬貨案内通路４に案内された正貨Ｘを吊り糸２９を介して硬貨投入口５から引き抜くと、正貨Ｘはさらに正偽振り分けレバー１９によって押さられて、該正貨Ｘの姿勢のふらつきが一層防止され、これにより硬貨投入口５から該正貨Ｘが引き抜かれることをさらに防止することができる。
【００２７】
また、この第１の実施例の硬貨選別装置１では、硬貨引き抜き防止手段１１のレバー１３を、先端１３ａが２つの端部１３ｂ、１３ｃに分岐されているものとしたから、硬貨案内通路４に案内された正貨Ｘを吊り糸２９を介して硬貨投入口５から引き抜くと、正貨Ｘの周面がレバー１３の２つに分岐する先端１３ａ間の第１の連結部１３ｃに当接し、該正貨Ｘの姿勢のふらつきは、２つに分岐する端部１４ａ、１５ａによって規制されるので、レバー１３は正貨Ｘに確実に係合し、これにより正貨Ｘの姿勢は一層固定されるから、正貨Ｘの引き抜きが更に防止されることとなる。
【００２８】
また、特に上述した実施例の硬貨選別装置１のように、硬貨引き抜き防止手段１１を、硬貨の正偽および正貨の金種を識別する硬貨識別手段の下流であって、正貨を正貨案内通路２０へ振分ける正偽振分けレバー１９の上流に位置する硬貨案内通路に配設すると、正貨案内通路２０に案内された正貨Ｘが、磁気センサ２３によって検出され、これにより商品が排出された後、該正貨Ｘを吊り糸２９によって硬貨投入口５から引き抜くこと、すなわち、正貨Ｘの引き抜きによって、実際の取引きが行われずに商品を盗むいたずらを可及的に防止することができることとなる。
【００２９】
なお、この第１の実施例の硬貨選別装置１では、硬貨引き抜き防止手段１１のレバー１３を、先端１３ａが２つに分岐されたレバーから構成することとしたが、硬貨引き抜き防止手段のレバーは、このレバー１３の先端１３ａの端部１３ｂ、１３ｄとの間を肉付けしたレバーであってもよく、該レバーによっても硬貨引き抜き、および正貨の引き抜きによる商品の盗み取りを防止する本願発明の作用効果を奏することができる。
【００３０】
次に、レバー１３の先端１３ａの端部１３ｂ、１３ｄとの間を肉付けしたレバーからなる第２の実施例の硬貨選別装置について説明する。
この第２の実施例の硬貨選別装置３１は、その要部拡大概念側面図である図１０、および図１０の右側面図である図１１で示すように、第１の実施例の硬貨選別装置１のレバー１３（図３および図４）に替え、レバー１３の先端１３ａの２つに分岐する端部１３ｂ、１３ｃの間を、肉付け部４２によって肉付けしたレバー４３を具えて構成されており、硬貨引き抜き防止手段４１は、該レバー４３とメインプレート２の凹部２ａ（図１３）と、正偽振り分けレバー１９とから構成されている。
なお、レバー４３は、ゲートプレート３に軸１２を介し回動自在に支承されている。
また、上述したレバー４３、硬貨引き抜き防止手段４１以外の構成は、第１の実施例の硬貨選別装置１と同一構成であり、図１０、および図１１では、図１乃至図９と同一部分を同一符号で示している。
【００３１】
このような構成の第２の実施例の硬貨選別装置３１では、図１２および図１３で示すように、正貨Ｘが正貨案内通路２０に案内され、該正貨Ｘが磁気センサ２３を通過したことが磁気センサ２３により検出された後、吊り糸２９を介し硬貨投入口５から硬貨を引き抜こうとすると、正貨Ｘの周面は、レバー４３の肉付け部４２の下端とメインプレート２の凹部２ａ（図１３）とに当接する。
したがって、正貨Ｘと引き抜き防止手段４１との当接箇所が、従来に比べ２か所に増えて、正貨Ｘの姿勢が従来より確実に固定され、これにより、該正貨Ｘが姿勢のふらつきによりレバー４３との当接から逃げて硬貨案内通路４内を逆流する虞を阻止できるので、硬貨投入口５から正貨Ｘが引き抜かれることを可及的に阻止することができる。
なお、図１２は、第２の実施例の硬貨選別装置の要部概念断面図であり、図１３は、第２の実施例の硬貨選別装置の要部概念正面図である。また、図１２、１３では、図１乃至図９と同一部分を同一符号で示している。
【００３２】
さらに、この第２の実施例の硬貨選別装置１でも、第１の実施例の硬貨選別装置１の場合と同様に、正貨Ｘが正貨案内通路２０の磁気センサ２３を通過したことが検出されると、該検出に基づき、正偽振分けレバー１９を動作して正貨案内通路２０を閉塞することとしているから、レバー４３および凹部２ａに当接する正貨Ｘは、この正偽振り分けレバー１９によっても押さえ付けられ、そのため正貨Ｘと硬貨引き抜き防止手段４１との当接箇所がさらに増えて、正貨Ｘの姿勢が一層確実に固定される。したがって、該正貨Ｘが姿勢のふらつきによりレバー４３との当接から逃げて硬貨案内通路４内を逆流する虞を更に阻止でき、これにより、硬貨投入口５から正貨Ｘが引き抜かれることをさらに可及的に防止することができる。
なお、特に上述した実施例の硬貨選別装置３１のように、硬貨引き抜き防止手段４１を、硬貨の正偽および正貨の金種を識別する硬貨識別手段の下流であって、正貨を正貨案内通路２０へ振分ける正偽振分けレバー１９の上流に位置する硬貨案内通路に配設すると、正貨案内通路２０に案内された正貨Ｘが、磁気センサ２３によって検出され、これにより商品が排出された後、該正貨Ｘを吊り糸２９によって硬貨投入口５から引き抜くこと、すなわち、正貨Ｘの引き抜きによって、実際の取引きが行われずに商品を盗むいたずらを可及的に防止することもできることは、いうまでもない。
【００３３】
なお、上述した各実施例の硬貨選別装置１、３１では、硬貨引き抜き防止の対象硬貨として、硬貨識別手段により正貨と見做され、正貨案内通路に案内された硬貨について説明したが、この発明の硬貨選別装置では、硬貨引き抜き防止の対象硬貨は、正貨に限定されないことはいうまでもない。
【００３４】
なお、上述した各実施例の硬貨選別装置１、３１では、硬貨引き抜き防止手段１１、４１を、それぞれ、硬貨識別手段８の下流であって、正偽振分けレバー１９の上流に位置する硬貨案内通路４に配設することとしたが、この発明では、硬貨引き抜き防止手段の配設位置は、硬貨を案内する硬貨通路であればよく、硬貨引き抜き防止手段がどの硬貨通路に配設された場合であっても、硬貨の引き抜きを防止することができる。
【００３５】
なお、上述した各実施例の硬貨選別装置１、３１では、硬貨引き抜き防止手段１１、４１を構成する各振分けレバーは、正偽振り分けレバー１９であることとしたが、この発明の硬貨選別装置の硬貨引き抜き防止手段を構成する振り分けレバーは、これに限定されず、レバー１３、４３が配設される案内通路に応じた振り分けレバーであればよい。
【００３６】
【発明の効果】
以上説明したように、この発明では、硬貨引き抜き防止手段を、硬貨案内通路の壁面に形成された凹部と、硬貨案内通路に回動自在に支承されたレバーとから構成することとしたから、硬貨案内通路に案内された硬貨を吊り糸を介し硬貨投入口から引き抜くと、硬貨の周面が凹部とレバーとに当接して、硬貨の姿勢が固定されるので、該硬貨がレバーとの当接から逃げて硬貨案内通路内を逆流する虞を阻止でき、これにより硬貨投入口から引き抜かれることを可及的に防止することができ、特に、この硬貨引き抜き防止手段を、硬貨識別手段の下流であって、正偽振分けレバーの上流に配設すると、正貨の引き抜きによって、実際の取引きを行わずに商品を盗み取るいたずらを、可及的に防止することができる。
【００３７】
さらに、この発明の硬貨選別装置の硬貨引き抜き防止手段のレバーを、先端が２つに分岐されたレバーから構成すると、硬貨の周面は前記２つに分岐する先端間に当接し、硬貨の姿勢のふらつきは該先端によって規制されるから、該硬貨がレバーとの当接から逃げることは阻止されて、硬貨の引き抜きが一層防止されることとなる。
【００３８】
またさらに、この発明の硬貨選別装置を構成する硬貨引き抜き防止手段を、振り分けレバーを具えて構成すると、硬貨案内通路に案内された硬貨を吊り糸を介して硬貨投入口から引き抜くと、該硬貨はさらに振り分けレバーによっても押さえらるから、これにより該硬貨が硬貨投入口から引き抜かれることを一層防止することができる。
【図面の簡単な説明】
【図１】図１はこの発明に係る第１の実施例の硬貨選別装置の要部概念正面図。
【図２】図２は図１の硬貨選別装置の要部拡大概念断面図。
【図３】図３は図２の要部拡大概念図。
【図４】図４は図３の右側面図でレバーを硬貨案内通路側から見た様子を示す概念図。
【図５】図５は図１の硬貨選別装置の要部拡大概念断面図。
【図６】図６は図１の硬貨選別装置の要部拡大概念断面図。
【図７】図７は図１の硬貨選別装置の要部拡大概念正面図で、正貨を引き抜こうとした場合の硬貨引き抜き防止手段の動作を示す図。
【図８】図８は図１の硬貨選別装置の要部概念正面図で、正貨を引き抜こうとした場合に、該正貨が硬貨引き抜き防止手段により姿勢が固定された様子を示す図。
【図９】図９は図１の硬貨選別装置の要部拡大概念断面図。
【図１０】図１０はこの発明に係る第２の実施例の硬貨選別装置の要部拡大概念側面図。
【図１１】図１１は図１０の右側面図で、レバーを硬貨案内通路側から見た様子を示す概念図。
【図１２】図１２は第２の実施例の硬貨選別装置の要部拡大概念断面図で、正貨を引き抜こうとした場合の硬貨引き抜き防止手段の動作を示す図。
【図１３】図１３は第２の実施例の硬貨選別装置の要部概念正面図で、正貨を引き抜こうとした場合に、該正貨が硬貨引き抜き防止手段により姿勢が固定された様子を示す図。
【符号の説明】
１、３１…硬貨選別装置
２…硬貨案内通路の壁面
２ａ…凹部
４…硬貨案内通路
５…硬貨投入口
１１、４１…硬貨引き抜き防止手段
１３、４３…レバー
１３ａ、４３ａ…先端
１９…振り分けレバー
２９…吊り糸
４２…肉付け部
【図１】
0004132612.tif 000002
【図２】
0004132612.tif 000003
【図３】
0004132612.tif 000004
【図４】
0004132612.tif 000005
【図５】
0004132612.tif 000006
【図６】
0004132612.tif 000007
【図７】
0004132612.tif 000008
【図８】
0004132612.tif 000009
【図９】
0004132612.tif 000010
【図１０】
0004132612.tif 000011
【図１１】
0004132612.tif 000012
【図１２】
0004132612.tif 000013
【図１３】
0004132612.tif 000014